(57)【要約】【課題】位置ベースの極性反転の利点を保持しながら、電力消費量の少ないディスプレイデバイスおよびそのアドレッシング方式を提供すること。【解決手段】行（１〜ｍ）と列（１〜ｎ）に配置されたピクセル（１２）を有するディスプレイデバイスの駆動方式であって、反転方式を提供するために、行（１〜ｍ）が一度に１つ選択され、かつ列データ電圧が反転される、駆動方式が説明されている。行が選択される順序は、第一極性によって駆動される行（または行グループ）の最初の複数の連続する行（または行グループ）が連続的に駆動され、次いで、第二極性によって駆動される行（または行グループ）の最初の複数の連続する行（または行グループ）が連続的に駆動され、第一極性によって駆動される行（または行グループ）の２番目の複数の連続する行（または行グループ）が連続的に駆動され、以下同様となるように、行われる。極性が反転される頻度が減少し、従って電力が節約される。【選択図】図７
2004521397.tif 000002
【特許請求の範囲】
【請求項１】
行と列に配置されたピクセルの配列を駆動する方法であって、当該方法が、
一度に１つずつ、ピクセルの前記行それぞれを選択するステップと、
行が選択されるたびに、ピクセルの前記列それぞれにデータ電圧を印加するステップであって、それぞれが１行または複数の連続する行を有する連続する行グループがデータ電圧の異なる極性によって駆動されるように、列に印加される前記データ電圧の前記極性が、第一極性と第二極性の間で反転される、ステップとを有する方法において、一度に１つずつピクセルの前記行それぞれを選択するステップが、以下の順序で実行される以下のステップ、すなわち、
（ｉ）前記第一極性によって駆動される行の最初の複数の連続するグループを連続的に選択するステップと、
（ｉｉ）前記第二極性によって駆動される行の最初の複数の連続するグループを連続的に選択するステップと、
（ｉｉｉ）前記第一極性によって駆動される行の少なくとも１つのさらなる複数の連続するグループと、前記第二極性によって駆動される行の少なくとも１つのさらなる複数の連続するグループとについて、ステップ（ｉ）と（ｉｉ）を繰り返すステップとを有する、方法。
【請求項２】
行グループそれぞれが、１行のみを有する、請求項１による方法。
【請求項３】
各グループにおける行の数が、２である、請求項１による方法。
【請求項４】
行の各列に同じ極性が印加される、請求項１〜３のいずれかによる方法。
【請求項５】
行の隣接する列に異なる極性が印加される、請求項１〜４のいずれかによる方法。
【請求項６】
同じ極性によって駆動される、連続的に選択される連続する行グループの数が、２である、請求項１〜５のいずれかによる方法。
【請求項７】
行が行番号順に選択されるときと比較して遅れて選択される行のビデオデータを格納するステップをさらに有する、請求項１〜６のいずれかによる方法。
【請求項８】
前記ピクセルが、アクティブマトリクス型液晶ディスプレイのピクセルである、請求項１〜７のいずれかによる方法。
【請求項９】
行と列に配置されたピクセルの配列を駆動するためのディスプレイドライバ装置であって、当該装置が、
一度に１つずつ、ピクセルの前記行それぞれを選択するための手段と、
行が選択されるたびに、ピクセルの前記列それぞれにデータ電圧を印加するための手段であって、それぞれが１行または複数の連続する行を有する連続する行グループがデータ電圧の異なる極性によって駆動されるように、列に印加される前記データ電圧の前記極性が、第一極性と第二極性の間で反転される、手段とを有する方法において、一度に１つずつピクセルの前記行それぞれを選択するステップが、次のステップ、すなわち、
（ｉ）前記第一極性によって駆動される行の最初の複数の連続するグループを連続的に選択するステップと、
（ｉｉ）前記第二極性によって駆動される行の最初の複数の連続するグループを連続的に選択するステップと、
（ｉｉｉ）前記第一極性によって駆動される行の少なくとも１つのさらなる複数の連続するグループと、前記第二極性によって駆動される行の少なくとも１つのさらなる複数の連続するグループとについて、ステップ（ｉ）と（ｉｉ）を繰り返すステップとをこの順序において実施することによって行の選択を実行するように適合化されている、ディスプレイドライバ装置。
【請求項１０】
行と列に配置されたピクセルの配列と、請求項９によるディスプレイドライバ装置とを有する、ディスプレイデバイス。
【発明の詳細な説明】
【０００１】
【発明が属する技術分野】
本発明は、行と列に配置されたピクセルを有するディスプレイデバイスと、そのようなディスプレイデバイスの駆動方法またはアドレッシング方法とに関する。本発明は、特に、反転方式を提供するための、列駆動電圧が反転される駆動方式に関する。
【０００２】
【従来の技術】
液晶ディスプレイデバイスは、周知であり、通常は、行と列の配列に配置される多数のピクセルを有する。
【０００３】
従来、ピクセルは、次のようにアドレッシングまたは駆動される。すなわち、ピクセルの行は、一度に１つ選択される。この場合、選択電圧を印加する処理が、行１から開始され、残りの行についても連続的な順序で行われる。これは、スイッチング電圧による行のスイッチングと呼ばれることがある。例えばアクティブマトリクス型液晶ディスプレイデバイスなど、ピクセルの切り換えが薄膜トランジスタを使用して実施されるディスプレイデバイスの場合、このような個々の行の選択または切り換えは、切替電圧が該当する行のトランジスタのゲートに印加されることからゲーティングと呼ばれることがある。
【０００４】
選択中の行のピクセルには、各列に印加されるそれぞれのデータ電圧によって、それぞれの表示設定が与えられる。このようなデータ電圧は、データ信号、ビデオ信号、画像信号、駆動電圧、列電圧など、この技術分野において多くの名前で知られている。
【０００５】
各行を１つずつ選択し、各行の選択中に必要な列を駆動することによって、表示する画像の１フレームが表示される。次いで、このディスプレイは、同様に表示される次のフレームによってリフレッシュされ、以下同様である。
【０００６】
さらに、反転方式は、多くの液晶ディスプレイデバイスに実施されている。公知の反転方式によると、データ電圧の２つの異なる極性が採用される（ただしディスプレイデバイスの光変調層（例、：液晶層）に反対の極性電圧がかかるならば、これらの極性は実際に絶対的な意味における正と負でなくてもよい）。反転方式は、単一の極性によって連続的に動作させる場合に起こる液晶材料の劣化を軽減するために採用される。
【０００７】
すべてのピクセルには、異なるフレーム（通常は交互のフレーム）において異なる極性が印加される、すなわちピクセルの極性は時間と共に反転される。
【０００８】
さらに、いくつかの反転方式においては、以下に説明するように、ピクセルは他のピクセルに対して位置ベースで反転される。
【０００９】
異なるピクセルに異なる極性が印加される、ピクセルの最初の１列を考える。簡単な例においては、列の下向きに１つおきのピクセルに、データ電圧の異なる極性が印加される。これは、行選択手順によって適切なタイミングで極性を変えることによって実行される。別の可能な方法においては、列の下向きに連続するピクセルのグループ、例えば２個のピクセルのグループに、それに隣接する２つのグループとは逆の極性が印加される。これらの例において、すべての列について駆動電圧極性の分布が同じである（すなわち１つの行のすべてのピクセルの極性が同じ）ならば、この反転方式は行反転（ｒｏｗ ｉｎｖｅｒｓｉｏｎ）方式として公知である。しかしながら、さらに、各行の中の隣接するピクセルに異なる極性が印加されるならば、この反転方式はピクセル反転（ｐｉｘｅｌ ｉｎｖｅｒｓｉｏｎ）方式として公知である。
従って、ピクセル反転方式または行反転方式においては、特定の列に印加されるデータ電圧が、新しい行（または隣接する新しい行グループの最初の行）が選択されるたびに反転される。しかしながら、このような方式を使用する欠点として、列に印加されるデータ電圧が反転されるたびに電力が消費されるため、電力消費量が増大する。
【００１０】
従って、位置ベースの極性反転の利点を保持しながら、電力消費量の少ないアドレッシング方式を提供することが望まれる。
【００１１】
上述したタイプと細部の異なる多数の先行技術のディスプレイデバイスと駆動方式が、公知である。このようなバリエーションとして、行が選択される順序のバリエーションがあげられる。これらの先行技術の方式のいくつかは、マルチフィールド駆動（ｍｕｌｔｉ−ｆｉｅｌｄ ｄｒｉｖｉｎｇ）として公知である。参考文献「Ｍｕｌｔｉ−Ｆｉｅｌｄ Ｄｒｉｖｉｎｇ Ｍｅｔｈｏｄ ｆｏｒ Ｒｅｄｕｃｉｎｇ ＬＣＤ Ｐｏｗｅｒ Ｃｏｎｓｕｍｐｔｉｏｎ（液晶ディスプレイの電力消費量を低減するためのマルチフィールド駆動方法）」（Ｈ． Ｏｋｕｍｕｒａ、Ｇ． Ｉｔｏｈ氏ら、ＳＩＤ ９５ ＤＩＧＥＳＴ、１９９５年、ｐ．２４９〜２５２）は、マルチフィールド駆動方式を開示している。ＪＰ−Ａ−０６ ００４ ０４５は、すべての行が行番号の順序で選択される方式と対照的に、同じデータ電圧極性が印加される不連続の奇数個の複数の行グループが順に選択される駆動方式を開示している。これらの先行技術の方式では、同じ極性で駆動される連続する行のグループにおいて、いくつかの行は最初のパス（ｐａｓｓ）時に選択されるが、いくつかは、行の最初のパスの完了後のさらなるパスにおいて後から選択される。この結果として、これらの方式では、空間的に近い行が、フレーム内の大きく異なる時刻に選択され、このことは、動画内にアーチファクトが発生する問題につながることがある。
【００１２】
【課題を解決するための手段】
第一の観点において、本発明は、行と列に配置されたピクセルの配列を駆動またはアドレッシングする方法であって、当該方法が、行を選択するステップと、各選択された行の列に駆動電圧を印加するステップと、を有する方法において、行が選択される順序が、第一極性によって駆動されるが第二極性によって駆動される１つ以上の行によって互いに分離されている位置的に連続する行が、適切なタイミングで連続的に選択されるように、各行に印加される駆動電圧の極性に関連して決定される、方法を提供する。その後、第二極性によって駆動される位置的に連続する行が、連続的に選択される。その後、第一極性によって駆動される位置的に連続するさらなる行が、連続的に選択される。その後、第二極性によって駆動される位置的に連続するさらなる行が、連続的に選択される。位置的に連続する同じ極性の行を連続的に選択するこのプロセスは、すべての行が選択されるまで繰り返される。
【００１３】
第二の観点においては、本発明は、行と列に配置されたピクセルの配列を駆動またはアドレッシングする方法であって、当該方法が、行を選択するステップと、各選択された行の列に駆動電圧を印加するステップと、を有する方法において、行が選択される順序が、次のように決定される、すなわち、同じ極性によって駆動される位置的に連続する行が、行のグループとしてみなされ、第一極性によって駆動されるが第二極性によって駆動される１つ以上の行によって互いに分離されている位置的に連続する行のグループが、適切なタイミングで連続的に選択されるように、各行に印加される駆動電圧の極性に関連して決定される、方法を提供する。その後、第二極性によって駆動される位置的に連続するグループが、連続的に選択される。その後、第一極性によって駆動される位置的に連続するグループが、連続的に選択される。その後、第二極性によって駆動される位置的に連続するグループが、連続的に選択される。位置的に連続する同じ極性のグループを連続的に選択するこのプロセスは、すべてのグループが選択されるまで繰り返される。
【００１４】
第三の観点においては、本発明は、行と列に配置されたピクセルの配列を駆動するためのディスプレイドライバ装置であって、当該装置が、行を選択するための手段と、各選択された行の列に駆動電圧を印加するための手段と、を有する装置において、行を選択するための前記手段が、各行に印加される駆動電圧の極性に関連して行が選択される順序が次のような順序であるように構成されている、すなわち、第一極性によって駆動されるが第二極性によって駆動される１つ以上の行によって互いに分離されている位置的に連続する行が、適切なタイミングで連続的に選択されるような順序であるように構成されている、ディスプレイドライバ装置を提供する。
【００１５】
第四の観点においては、本発明は、行と列に配置されたピクセルの配列を駆動するためのディスプレイドライバ装置であって、当該装置が、行を選択するための手段と、各選択された行の列に駆動電圧を印加するための手段であって、行を選択するための前記手段が、各行に印加される駆動電圧の極性に関連して行が選択される順序が次のような順序であるように構成されている、すなわち、同じ極性によって駆動される位置的に連続する行が、行のグループとしてみなされ、第一極性によって駆動されるが第二極性によって駆動される１つ以上の行またはグループによって互いに分離されている位置的に連続する行のグループが、適切なタイミングで連続的に選択されるような順序であるように構成されている、ディスプレイドライバ装置を提供する。
【００１６】
従って、行が選択される順序は、第一極性によって駆動される行（または行のグループ）のうち複数の連続する行（または行のグループ）が、連続的に駆動され、次いで、第二極性によって駆動される行（または行のループ）のうち複数の連続する行（または行のグループ）が、連続的に駆動される。
【００１７】
従って、どの列についても、極性を反転する必要のある頻度がより少なく、従って、適用される極性反転方式の利点のすべて、または少なくとも一部を維持しながら、電力消費量が節減される。
【００１８】
本発明の上記およびその他の観点は、以下に説明されている実施例を参照しながら明確に解明されるであろう。
【００１９】
本発明の実施例について、添付されている図面を参照しながら、一例として以下に説明する。
【００２０】
【発明を実施するための形態】
図１は、本発明の最初の実施例が実施されているアクティブマトリクス型液晶ディスプレイデバイスの線図である。このディスプレイデバイスは、ビデオ画像を表示するのに適していて、ピクセルの行と列の配列を有するアクティブマトリクス型液晶ディスプレイパネル１０を有する。この配列は、ｍ行（１〜ｍ）×ｎ列から成り、ｎは各行あたり水平に配置されるピクセル１２（１〜ｎ）の数である。図を簡潔にするため、数個のピクセルのみが示されている。
【００２１】
各ピクセル１２には、薄膜トランジスタＴＦＴ １１の形式におけるそれぞれのスイッチングデバイスが関連付けられている。同じ行のピクセルに関連付けられているＴＦＴ １１すべてのゲート端子は、共通の行導体１４に接続され、この行導体１４には、動作時に選択（ゲーティング）信号が供給される。同様に、同じ列のすべてのピクセルに関連付けられているソース端子は、共通の列導体１６に接続され、この列導体１６には、データ（ビデオ）信号が流される。ＴＦＴの各ドレイン端子は、ピクセルの一部を形成しかつピクセルを定義するそれぞれの透明ピクセル電極２０に接続される。導体１４および１６と、ＴＦＴ １１と、電極２０は、１枚の透明板上に担持され、空間的に離されている第二の透明板が、すべてのピクセルに共通の電極（以下、共通電極と呼ぶ）を担持する。液晶はこれらの板の間に配置される。
【００２２】
ディスプレイパネルは、従来の方法で動作する。片面に配置された光源からの光が、パネルに入り、ピクセル１２の透過特性に従って変調される。デバイスは、一度に１行ずつ駆動される。具体的には、選択（ゲーティング）信号によって行導体１４をスキャンすることによってＴＦＴの行が順にオンになり、画像ディスプレイ要素の各行の列導体に適切な順に、かつ選択信号と同期してデータ（ビデオ）信号を流すことによって、完全な表示フレーム（画像）が構築される。スキャン時に行が選択される順序について、以下に説明する。一度に１行のアドレッシング方式を使用して、選択された行のすべてのＴＦＴ １１が、ＴＶライン時間（ＴＶ ｌｉｎｅ ｔｉｍｅ）に対応する選択信号の時間長によって決まる期間だけオンに切り替わり、この期間中に、ビデオ情報信号が列導体１６からピクセル１２に転送される。選択信号が終了すると、行のＴＦＴ １１がフレーム周期の残りの間オフになり、これによってピクセルが導体１６から絶縁され、印加された荷電が、次のフレーム周期中にピクセルがアドレッシングされるまで、ピクセル上に保持される。
【００２３】
行導体１４には、その選択順序に従って、行ドライバ回路２０によって選択信号が供給される。この行ドライバ回路２０は、タイミング／制御回路２１からの規則的なタイミングパルスによって制御されるデジタルシフトレジスタを有する。選択信号が存在している間、行導体１４には、駆動回路２０による実質的に一定の基準電位差が供給される。ビデオ情報信号は、列ドライバ回路２２から列導体１６に供給される。この列ドライバ回路２２は、この図においては基本的な形式で示されていて、１つ以上のシフトレジスタとサンプリング／ホールド回路とを有する。パネル１０の「一度に１行」アドレッシング方式に適したシリアル−パラレル変換を行うため、ビデオ処理回路２４からのビデオ信号と、回路２１からのタイミングパルスとが、行のスキャンに同期して回路２２に供給される。
【００２４】
液晶ディスプレイデバイスのその他の細部については、列の極性に関連して行が選択される順序に関して後から説明する点を除き、従来のアクティブマトリクス型液晶ディスプレイデバイスに従うものでよく、この特定の実施例においては、ＵＳ ５，１３０，８２９に開示されている液晶ディスプレイデバイスと構造および動作が同じであり、この明細書は本文書に参照文献として組み込まれている。
【００２５】
列に印加されるデータ電圧が２つの極性の間で変わる方法について、図２ａと２ｂを参照しながら以下に説明する。図２ａと２ｂは、それぞれ、上述されているピクセル１２を線図的に示し（スケールは正確ではない）、このピクセルは、特に、ピクセル電極２０と、上述されている共通電極（の対応する部分）（図２ａと２ｂにおいて参照数字３２によって示されている）と、これらの間の液晶層（の対応する部分）から形成される。
【００２６】
共通電極３２は、一定の基準電圧に維持され、この例においては図２ａと２ｂの両方に示されているように８Ｖである。図２ａは、正の極性データ電圧がピクセルに印加される場合を示す。この例においては、図に示されているように、１１Ｖの電圧がピクセル電極２０に印加され、液晶層に＋３Ｖの電位差がかかる（共通電極３２を基準としたとき）。この例においては、これは正の極性である。グレースケールディスプレイにおいては、光変調層すなわち液晶層３６の電気光学効果が電圧の大きさに依存するため、この電位差の大きさによってグレースケールが決まる。しかしながら、ディスプレイが２値式であるなら、この電位差の大きさは、単に完全なオン状態に対応する。
【００２７】
図２ｂは、負の極性データ電圧がピクセルに印加される場合を示す。より具体的には、図２ａの例において印加された電位差と同じ大きさの電位差（３Ｖ）が必要である状況が示されている。従って、この場合においては、５Ｖの電圧がピクセル電極に印加され、その結果として、必要な−３Ｖの電位差が液晶層にかかる（共通電極３２を基準としたとき）。
【００２８】
留意すべき点として、図２ａと２ｂの両方においては、ピクセル電極２０に印加される電圧は、絶対的な意味において正である。しかしながら、５Ｖの信号によって液晶層３６に負の極性がかかるのに対し、１１Ｖの信号によって液晶層３６に正の極性がかかる。従って、本明細書においては、データ電圧の正極性、負極性という用語は、図２ａと２ｂを参照して説明されている例と、その他の例、例えば共通電極が０Ｖに保持され、正と負の印加データ電圧が絶対的な意味において実際に正と負である例と、さらに、光変調層に結果的にかかる電圧降下という意味とが含まれることが理解されるであろう。
【００２９】
また、図２ａと２ｂに示されている例においては、共通電極３２が直流電位（この例では８Ｖ）に保持されているが、他の駆動方式（共通電極駆動方式として公知である）においては、共通電極は、反転方形波（ｉｎｖｅｒｔｉｎｇ ｓｑｕａｒｅ ｗａｖｅｆｏｒｍ）によって駆動され、本発明はそのような方式の場合にも等しく実施できる。
【００３０】
この実施例は、行反転方式またはピクセル反転方式のいずれにも適用できる。最初に、この意味について詳しく説明するのが都合よい。図３は、上述されているデバイスに適用される行反転方式を示す。図３は、１つのフレームについて、上述されているデバイスの各列（図を簡潔にするため最初の４列のみ示されている）の各行番号（参照数字４２）に印加されるデータ電圧の極性（＋または−として示されている）（参照数字４４）を示す。列１については、行１は正であり、以降の連続する行の極性は交互になり、すなわち行２は負であり、行３は正であり、以下同様である。他のすべての列、例えば、図に示されている列２、３、４についても、各行の極性は列１と同じである。従って、図から明らかなように、いずれの行も、すべての列にわたり極性が同じであり、すなわち反転は行ベースで行われ、従って、この配列に対しては用語「行反転」が使用される。
【００３１】
これに対して、図４は、上述されているデバイスに適用されるピクセル反転方式を示す。また、図４は、１つのフレームについて、上述されているデバイスの各列の各行番号（参照数字４２）（図を簡潔にするため最初の１６行のみ示されている）に印加されるデータ電圧の極性（＋または−として示されている）（参照数字４４）を示す。列１については、行１は正であり、以降の連続する行の極性は交互になり、すなわち行２は負であり、行３は正であり、以下同様である。ここまでは、図３の場合と同じである。しかしながら、図４に示されている方式においては、列２の正と負の極性が列１と比較して反転されている。このパターンが、交互の列に繰り返され、すなわち、列３は列１と同じであり、列４は列２と同じであり、以下同様である。従って、図からわかるように、任意の２個の隣接するピクセルは極性が反対であり、従ってこの配列に対しては用語「ピクセル反転」が使用される。
【００３２】
いくつかのカラー液晶ディスプレイに適用されているピクセル反転の別の形式においては、任意の行の隣接する３列（赤、青、緑の各色用に１列）が第一極性を有し、次の隣接する３列が他方の極性を有し、以下同様である。
【００３３】
上記の説明においては、行反転方式またはピクセル反転方式それぞれについて、１つのフレーム内に印加される極性の観点から説明してきた。次のフレームにおいては、正の極性と負の極性が反転される。
【００３４】
本発明の実施例は、上述されている行反転方式またはピクセル反転方式のいずれにも同様に適用できる。理解を容易にするため、説明対象の行選択方法の効果について、（例えば図３と図４の）列１のみについて説明する。この説明を目的として、図５には、１つのフレームについて、上述されているデバイスの列１の各行番号（参照数字４２）に印加されるデータ電圧の極性（＋または−として示されている）（参照数字４６）が示してある。
【００３５】
本発明の実施例の行選択順序について説明する前に、図５の先行技術における行の選択順序を最初に説明する。従来のデバイスにおいては、行は、単純に行番号に従って連続的に、すなわちディスプレイの下方向への位置に従って選択される。従って、各フレームにおいて、行１が最初に選択され、次いで行２、次いで行３が選択され、以下同様である。図６は、従来の行選択順序に従って行が選択されるときに時間の経過と共に結果的に列１に印加される極性を示す。図６を参照して、先行技術において行が単純に位置の順序で選択されるときには、時間（ｔ）に対する行の選択順序（参照数字５２）は、行番号の配置（すなわち図５に示されている参照数字４２）に単純に従い、その結果、先行技術の手法においては、時間（ｔ）に対して列１（参照数字５４）に印加されるデータ電圧極性は、行単位で正から負に変化する。従って、各列について、新しい行が選択されるたびに極性を切り替える必要があり、従って、新しい行が選択されるたびに追加の電力を消費する必要がある。
【００３６】
本発明の実施例に戻り、この実施例では、上述されている方式とは異なる行選択順序を提供する。図７は、この実施例における時間（ｔ）に対する行の選択の順序（参照数字５６）と、時間（ｔ）に対して結果的に列１に印加されるデータ電圧極性（参照数字５８）とを示す。図７を参照し、行は次のように選択される。まず、正の極性になる行のうち最初の２行（図５参照）、すなわち行１と行３が連続的に選択され、次いで、負の極性になる行のうち最初の２行（図５参照）、すなわち行２と行４が連続的に選択され、次いで、正の極性になる行のうち最初の２行（図５参照）、すなわち行５と行７が連続的に選択され、次いで、負の極性になる行のうち最初の２行（図５参照）、すなわち行６と行８が連続的に選択され、以下同様である。図７を参照して理解できるように、時間（ｔ）に対して結果的に列１に印加されるデータ電圧極性（参照数字５８）では、新しい行が選択される１回おきにのみ極性を切り替えればよく、従って、先行技術の配置において極性を切り替えることによって消費される電力の半分が節約される。
【００３７】
図１に示されている配置においては、行ドライバ回路２０と、タイミング／制御回路２１と、列ドライバ回路２２と、ビデオ処理ユニット２４とがまとまって１つのディスプレイドライバ装置を形成するとみなすことができる。このようなディスプレイドライバ装置は、この実施例の行選択順序を実施するための適切な方法に適合化できる。例えば、行ドライバ回路２０は、上述されている順序で行を選択するようにプログラムすることができ、列ドライバ回路は、前述されているように列の極性を切り換えるように適合化できる。ビデオ処理回路は、数字順に選択されない行のビデオデータを格納するためのバッファまたはメモリ（図には示されていない）を設けることによって適合化でき、すなわちバッファは、行３が選択されている間に行２のビデオデータを格納しておき、行３の後に行２が選択されるときに、格納されているビデオデータを使用できる。
【００３８】
図８は、行反転の場合に１つのフレームについて図７に示されている行の選択順序で適切な極性を印加するための、この実施例におけるディスプレイドライバ装置によって実行されるプロセスステップを示すフローチャートである。
【００３９】
ステップＳ４において、行ドライバ回路２０が行１に選択電圧を印加することによって、行１が選択される。ステップＳ６において、各列に正の極性データ電圧が印加される。これは以下のように実施される。ビデオ信号（すなわち各列に印加されるデータ電圧の大きさを指定する信号）がビデオ処理回路２４によって供給され、列ドライバ回路２２によって各列について正しいタイミングでサンプリングされる。この場合に列ドライバ回路２２は、タイミング／制御回路２１のタイミング制御下において、ビデオ信号をそれぞれの列に正しいタイミングで対応付ける。極性が正または負であるかは、タイミング／制御回路２１の制御下において列ドライバ回路２２とビデオ処理回路２４の組合せによって制御および実施される。
【００４０】
列ドライバ回路２２が行およびフィールド反転を実施するのみである場合には、各フィールド（フレーム）ごとに、または各フィールド（フレーム）および各行ごとに極性が反転されたビデオ信号をビデオ処理回路２４からこの回路に供給できる。この場合、ビデオ処理回路２４は、２つの駆動電圧極性の間の切替を実行する。
【００４１】
列ドライバ回路２２がピクセル反転を実施する場合には、ビデオ処理回路２４は、２セットのビデオ信号を列ドライバ回路２２に供給する。この２セットの信号は、任意の瞬間において一方が正であり他方が負である。必要な駆動極性を提供するために、これら２セットの入力の一方または他方からの信号が、ディスプレイの交互の列に送られる。ビデオ処理回路２４は、これら２セットの信号の極性を行単位および各フィールドの最後において交換できるが、この機能は、列ドライバ回路２２に統合することもできる。
【００４２】
ステップＳ８において、次の行、すなわち行３が選択される。なぜなら行３は、正の極性が印加される行のうち次の連続する行であるためである。ステップＳ１０において、各列に正の極性データ電圧が印加される。
【００４３】
この実施例においては、正の極性が印加される行のうち２個の連続する行（のみ）が連続的に選択され、次いで、負の極性が印加される行のうち２個の連続する行（のみ）が連続的に選択される。従って、ステップＳ１２において、行２が選択され、ステップＳ１４において、負の極性データ電圧が列に印加され、ステップＳ１６において、行４が選択され、ステップＳ１８において、負の極性データ電圧が列に印加される。
【００４４】
このプロセスは、奇数番号の行の対が選択されて正の極性データ電圧が印加され、次いで、偶数番号の行の対が選択されて負の極性データ電圧が印加されることが繰り返され、最後に、ステップＳ２０において最後（ｍ番目）の行（ディスプレイが例えば６００行×８００列を有するこの実施例においては行６００）が選択され、ステップＳ２２において負の極性データ電圧が列に印加される。これで、このフレームのアドレッシングが完了する（次のフレームのアドレッシング時には、ステップＳ６、Ｓ１０、Ｓ１４などにおいて正と負の極性が逆になる）。
【００４５】
上述されているプロセスにおいては、行が選択され（例、：ステップＳ４）、次いで電圧が列に印加される（例、：ステップＳ６）。これに代えて、この順序を逆にすることができる。いずれの順序を使用する場合にも、行の選択が解除された後まで、列電圧を保持する必要がある。上述されている実施例においては、同じ極性によって駆動される、連続的に選択される連続する行の数は、２である（例、：行１と行３）。しかしながら、他の実施例においては、この数として、必要に応じて３以上を選択できる。この数が大きいほど、１列あたり極性を切り替える必要のある回数が少なくなり、従って、電力の節約効果が大きい。しかしながら、妥協点を決定する必要があり、その理由は、大きい数が選択された場合、他方の極性の行の選択がより遅くなり、従って、動画のアーチファクトが発生することがある。また、駆動回路および／または消失行データ用バッファが、より複雑になる。従って、この数は、考慮する特定の情況に従って、これらの利点／欠点の妥協点の観点から必要に応じて当業者が選択できる。
【００４６】
動画のアーチファクトを大幅に発生させることなく全体で４倍の電力節約を提供する１つの望ましい代替実施例が、図９に示されている。この図も、時間（ｔ）に対する行の選択の順序（図の参照数字６２）と、時間（ｔ）に対して結果的に列１に印加されるデータ電圧極性（図の参照数字６４）とを示す。この実施例においては、同じ極性によって駆動される、連続的に選択される連続する行の数は４である。より詳細には、同じ（正の）極性によって駆動される行は、奇数番号の行である（図５参照）。これらの行のうち、最初の４つの連続する行、すなわち行１、３、５、７が、連続的に選択される。次に選択される行は、行２、４、６、８であり、すなわち、同じ（負の）極性の行、すなわち偶数の行のうち最初の４つの連続する行である。次に選択される行は、次の４つの奇数番号（すなわち正の極性）の行、すなわち行９、１１、１３、１５である。次に選択される行は、次の４つの偶数（すなわち負の極性）の行、すなわち行１０、１２、１４、１６であり、以下同様である。
【００４７】
上の実施例においては、行またはピクセル反転方式は、印加される極性が任意の列の中で１行単位で変わる方式、すなわち便宜上、１行単位反転方式と呼ぶことのできる方式である（図３、４、５参照）。しかしながら、印加される極性が任意の列の中で異なる行に対して変わる、ただし１行単位で交替する以外の、他の行反転方式またはピクセルタイプ反転方式も公知である。このような例の１つが、図１０に示されていて、この図は、１つのフレームについて、上述されているデバイスの列１の各行番号（参照数字６６）に印加されるデータ電圧の極性（＋または−として示されている）（参照数字６８）を示す。
【００４８】
図１０に示されているように、この交互反転方式においては、最初の２つの連続する番号（すなわち隣接する位置の）行（例、行１と２）に最初の極性（例、正の極性）が印加され、次いで、次の２つの番号の行（行３と４）に他方の極性（負の極性）が印加され、次いで、次の２つの番号の行（行５と６）に最初の極性（正の極性）が印加され、次いで、次の２つの番号の行（行７と８）に他方の極性（負の極性）が印加され、以下同様である。図５の反転方式と同様に、他の列は列１と同じであるか、または、任意の行の極性が、偶数の列と奇数の列とで反対になるようにできる。一般に、図１０に示されている反転方式は、「２行反転」として公知であり、デルタカラーフィルタ配置（ｄｅｌｔａ ｃｏｌｏｕｒ ｆｉｌｔｅｒ ａｒｒａｎｇｅｍｅｎｔ）（ディスプレイの行のピクセルが１行おきに列ピッチの１．５倍だけ水平にオフセットされる配置）を有する液晶デバイスにおいて特に使用される。この配置は、列数が同じ場合に、コンピュータディスプレイに使用される垂直ストライプカラーフィルタ配置（ｖｅｒｔｉｃａｌ ｓｔｒｉｐｅ ｃｏｌｏｕｒ ｆｉｌｔｅｒ ａｒｒａｎｇｅｍｅｎｔ）よりも、視覚的な水平解像度が高いため、コンピュータテキストよりむしろＴＶ画像を表示するのに使用される。本文書においては、反転が１行単位ではなく連続する行のグループ単位で起こるこのような反転方式を、便宜上「行グループ単位の」反転方式と呼ぶ。
【００４９】
図１０に示されているような「行グループ単位の」反転方式の場合に本発明を具体化する方法については、上述されている「同じ極性を有する連続する番号の行」を行のグループとして見なすことによって、最も容易に説明できる。従って、図１０に示されているように、行１と２が最初のグループｉを形成し、行３と４が第二グループｉｉを形成し、行５と６が第三グループｉｉｉを形成し、行７と８が第四グループｉｖを形成し、以下同様である。言い換えれば、それぞれが２つの連続する行（例、行１と行２）を有する連続する行グループ（ｉ、ｉｉ、ｉｉｉなど）が、異なるデータ電圧極性によって駆動される（例えばグループｉが正の極性によって駆動され、グループｉｉが負の極性によって駆動される）。
【００５０】
この実施例の行選択順序について説明する前に、先行技術における行の選択順序を使用する効果について最初に示すのがこの場合にも好都合である。従来のデバイスにおいては、行は、行番号、すなわち、ディスプレイの下方への位置に従う単純な連続順序で選択される。従って、各フレームにおいて、行１が最初に選択され、次いで行２、次いで行３が選択され、以下同様である。図１１は、従来の行選択順序に従って行が選択されるときに時間の経過と共に結果的に列１に印加される極性を示す。図１１を参照して、先行技術において、行が単純に位置的な順序に従って選択される場合、時間（ｔ）に対する行選択順序（参照数字７２）は、行番号の配置（すなわち図１０に示されている参照数字６６に単純に従い、この結果、先行技術の手法においては、時間（ｔ）に対する列１に印加されるデータ電圧極性（参照数字７４）は、グループ単位で正から負に変化する。従って、各列について、新しいグループの最初の行が選択されるたびに極性を切り替える必要があり、従って、新しいグループの最初の行が選択されるたびに追加の電力を消費する必要がある。
【００５１】
本発明の実施例に戻り、この実施例は、図１０に示されている反転方式用として、図１１に示されている先行技術の順序とは異なる行選択順序を提供する。図１２は、この実施例における時間（ｔ）に対する行／グループの選択の順序（参照数字７６）と、時間（ｔ）に対して結果的に列１に印加されるデータ電圧極性（参照数字７８）とを示す。図１２を参照し、行は次のように選択される。すなわち、正の極性になる行グループのうち（図１０参照）最初の２つの行グループ、すなわちグループｉとｉｉｉが連続的に選択され、次いで、負の極性になる行グループの行のうち（図１０参照）最初の２つの行グループ、すなわちグループｉｉとｉｖが連続的に選択される。次いで、正の極性になる行グループの行のうち（図１０参照）次の２つの行グループ、すなわちグループｖとｖｉｉが連続的に選択され、次いで、負の極性になる行グループの行のうち（図１０参照）次の２つの行グループ、すなわちグループｖｉとｖｉｉｉが連続的に選択され、以下同様である。図１２を参照して明らかなように、時間（ｔ）に対して結果的に列１に印加されるデータ電圧極性（参照数字７８）では、新しいグループが選択される１回おきにのみ極性を切り替えればよく、従って、先行技術の配置において極性を切り替えることによって消費される電力の半分が節約される。
【００５２】
この実施例（図１２）においては、同じ極性によって駆動される、連続的に選択される連続する行グループの数は、２である（例、グループｉとグループｉｉｉ）。しかしながら、図５の反転方式に関して上述されている１行単位の実施例の場合のように、他の実施例においては、この数として、必要に応じて３以上を選択できる。この場合も、この数が大きいほど、１列あたり極性を切り替える必要のある回数が少なくなり、従って、電力の節約効果が大きい。しかしながら、この場合にも、前述と同様に妥協点を決定する必要があり、従って同様に、同じ極性によって駆動される、連続的に選択される連続する行グループの数は、考慮する特定の情況に従って、これらの利点／欠点の妥協点の観点から必要に応じて当業者が選択できる。前述されている「１行単位」の実施例に対応する、１つの望ましい代替実施例は、同じ極性によって駆動される、連続的に選択される連続する行グループの数が４である。この方式は、動画アーチファクトを大幅に発生させることなく全体で４倍の電力節約を提供する。
【００５３】
図５と図１０に示されている反転方式は、本発明を適用できる方式のうち最も一般的に使用される方式であるが、同じ極性データ電圧によって駆動される番号の連続する行すべてをグループとみなすことによって、本発明は、必要に応じて他の方式に具体化できる。従って、例えば、最初の４行（数／位置ごと）が正に駆動され、次いで次の４行（数／位置ごと）が負に駆動される反転方式に本発明を具体化する場合には、そのような番号の連続する４行を各グループが有する。
【００５４】
また、本発明は、特定の列の異なる行に対して異なる極性が印加される駆動方式に適用することもできる。この場合、この方式を採用する理由に関わらず、また行極性の割り当てが前述されている方式のいずれかと同じであるか否かに関わらず、適用できる。例えば、（上記に定義される）各グループ内の行の数が、正極性と負極性とで異なる場合、あるいは同じ極性のグループに対して異なる場合にも、本発明は、同じ極性の連続するグループを連続的に選択することにより、時間の経過と共に行を選択することによって実施できる。
【００５５】
また、図５と図１０の比較から、また同様に図７と図１２の比較から明らかであるように、「１行単位の」反転方式における１行は、「行グループ単位の」反転方式における１つの行グループに似ていて、従って、例えば図７と図９を参照して説明されている実施例は、図１０タイプの実施例の特殊な場合、すなわち各グループの行の数が１である場合と見なすことができる。
【００５６】
上記の実施例は、いずれも、特定の液晶ディスプレイデバイスに関連して説明されているが、本発明の行選択は、他の液晶ディスプレイデバイスにも適用でき、かつ、極性反転式の列駆動を必要とする、または潜在的に利点となる他のタイプのディスプレイデバイスにも適用できることが理解されるであろう。
【図面の簡単な説明】
【図１】本発明の最初の実施例が実施されている、アクティブマトリクス型液晶ディスプレイデバイスの線図である。
【図２Ａ】図１のディスプレイデバイスのピクセルに正の極性データ電圧が印加されている様子を示す。
【図２Ｂ】図１のディスプレイデバイスの同じピクセルに負の極性データ電圧が印加されている様子を示す。
【図３】図１のディスプレイデバイスに適用される行反転方式を示す。
【図４】図１のディスプレイデバイスに適用されるピクセル反転方式を示す。
【図５】図３と４の反転方式において、１つのフレームについて、図１のディスプレイデバイスの第一列の各行番号に印加されるデータ電圧の極性を示す。
【図６】先行技術の行選択順序に従って、図５の行が選択されるときに時間の経過と共に結果的に第一列に印加される極性を示す。
【図７】本発明の実施例における時間に対する行の選択の順序と、時間に対して結果的に第一列に印加されるデータ電圧極性を示す。
【図８】本発明の実施例におけるディスプレイドライバ装置によって実行されるプロセスステップを示すフローチャートである。
【図９】別の実施例における時間に対する行の選択の順序と、時間に対して結果的に第一列に印加されるデータ電圧極性を示す。
【図１０】さらなる反転方式において、１つのフレームについて、図１のディスプレイデバイスの第一列の各行番号に印加されるデータ電圧の極性を示す。
【図１１】先行技術の行選択順序に従って、図１０の行が選択されるときに時間の経過と共に結果的に第一列に印加される極性を示す。
【図１２】さらに別の実施例における時間に対する行の選択の順序と、時間に対して結果的に第一列に印加されるデータ電圧極性を示す。
【符号の説明】
１０  アクティブマトリクス型液晶ディスプレイパネル
１１  薄膜トランジスタＴＦＴ
１２  ピクセル
１４  行導体
１６  列導体
２０  電極
２０  行ドライバ回路
２１  タイミング／制御回路
２２  列ドライバ回路
２４  ビデオ処理回路
３２  共通電極
３６  液晶層
【図１】
2004521397.tif 000003
【図２Ａ】
2004521397.tif 000004
【図２Ｂ】
2004521397.tif 000005
【図３】
2004521397.tif 000006
【図４】
2004521397.tif 000007
【図５】
2004521397.tif 000008
【図６】
2004521397.tif 000009
【図７】
2004521397.tif 000010
【図８】
2004521397.tif 000011
【図９】
2004521397.tif 000012
【図１０】
2004521397.tif 000013
【図１１】
2004521397.tif 000014
【図１２】
2004521397.tif 000015
【国際公開パンフレット】
2004521397.tif 000016
2004521397.tif 000017
2004521397.tif 000018
2004521397.tif 000019
2004521397.tif 000020
2004521397.tif 000021
2004521397.tif 000022
2004521397.tif 000023
2004521397.tif 000024
2004521397.tif 000025
2004521397.tif 000026
2004521397.tif 000027
2004521397.tif 000028
2004521397.tif 000029
2004521397.tif 000030
2004521397.tif 000031
2004521397.tif 000032
2004521397.tif 000033
2004521397.tif 000034
2004521397.tif 000035
2004521397.tif 000036
2004521397.tif 000037
2004521397.tif 000038
2004521397.tif 000039
2004521397.tif 000040
2004521397.tif 000041
2004521397.tif 000042
2004521397.tif 000043
2004521397.tif 000044
2004521397.tif 000045
2004521397.tif 000046
2004521397.tif 000047
2004521397.tif 000048
2004521397.tif 000049
【国際公開パンフレット（コレクトバージョン）】
2004521397.tif 000050
【国際調査報告】
2004521397.tif 000051
2004521397.tif 000052
2004521397.tif 000053